(57)【要約】【課題】  シートベースに簡単な機構を付加することによって、リールシートを竿素材の任意の位置に設置できるとともに、加工工程の簡素化を図れるリールシートを提供する。【解決手段】  リール脚を保持する可動フード４と竿素材８に外嵌装着される筒状のシートベース２とを備えるとともに、シートベース２の竿素材８に外嵌する内径を拡縮可能に構成する。シートベース２に、全長に亘って割り溝２ｄを形成してそのシートベース２の内径を拡縮可能に構成してある。【選択図】        図３
2008182959.tif 000002
【特許請求の範囲】
【請求項１】
リール脚を保持する一対のフードと竿素材に外嵌装着される筒状のシートベースとを備えるとともに、前記シートベースの前記竿素材に外嵌する内径を拡縮可能に構成してあるリールシート。
【請求項２】
前記シートベースに、全長に亘って割り溝を形成して前記内径を拡縮可能に構成してある請求項１記載のリールシート。
【請求項３】
前記シートベースに、そのシートベースが前記竿素材に外嵌装着された状態で周方向へ変位することを阻止する機構を設けてある請求項１または２記載のリールシート。
【請求項４】
前記シートベースに、そのシートベースが竿素材の軸線方向へ移動することを規制する取付固定具を設けてある請求項１から３のうちのいずれか一つに記載のリールシート。
【請求項５】
請求項１から４のうちのいずれか一つに記載のリールシートを備えた釣り竿。
【発明の詳細な説明】
【技術分野】
【０００１】
本発明は、リール脚を保持する一対のフードと竿素材に外嵌装着される筒状のシートベースとを備えるリールシートに関する。
【背景技術】
【０００２】
リールシートを竿素材の所定位置に取り付けるに、竿素材にシートベースを外嵌し、竿素材の外径とシートベースの内径とが一致する位置に嵌め込んで、接着剤等を使用して固定していた（特許文献１参照）。
【０００３】
【特許文献１】特開２００６−３４５７９０号公報（段落番号〔００１８〕〔００１９〕、及び、図１、２）
【発明の開示】
【発明が解決しようとする課題】
【０００４】
上記構成の場合には、リールシートの装着固定位置がシートベースの竿素材に外嵌される孔径に限定されるために一定位置に限られ、釣り操作を行う釣り人が操作を行い易い位置に装着する自由度が規制されることになっていた。
また、シートベースを外嵌するために、対応する竿素材の装着位置における外径寸法を厳密に管理する必要があり、その為には、後記する図５に示すように、研磨加工機６を使用して研磨加工を行ったり、図４に示すように、竿素材８の外径に影響を与えるプリプレグパターン１０の寸法を適正に行う必要があり、製作上の負担が重いものとなっていた。
【０００５】
本発明の目的は、シートベースに簡単な機構を付加することによって、リールシートを竿素材の任意の位置に設置できるとともに、加工工程の簡素化を図れるリールシートを提供する点にある。
【課題を解決するための手段】
【０００６】
〔構成〕
請求項１に係る発明の特徴構成は、前記シートベースの前記竿素材に外嵌する内径を拡縮可能に構成してある点にあり、その作用効果は次の通りである。
【０００７】
〔作用〕
シートベースの竿素材に外嵌する内径を拡縮可能に構成してあるので、シートベースの竿素材に外嵌される孔径に対応した竿素材の特定位置（外径が一致する）に限定されることなく、任意の位置にリールシートを装着できる。
しかも、任意の位置における竿素材の外径をシートベースの孔径に対応した寸法に設定する必要はなく、研磨加工等の加工工程を少なくできる。
【０００８】
〔効果〕
したがって、任意の位置にリールシートを取り付けることができるので、釣り操作が容易になるとともに、加工工程の簡素化が達成でき、製作負担が軽減される。
【０００９】
請求項２に係る発明の特徴構成は、請求項１に係る発明において、前記シートベースに、全長に亘って割り溝を形成して前記内径を拡縮可能に構成してある点にあり、その作用効果は次の通りである。
【００１０】
〔作用効果〕
つまり、全長に亘って設けた割り溝という簡単な構成によって、シートベースの内径を拡縮可能に構成することができた。これによって、任意の位置にリールシートを取り付けることができるので、釣り操作が容易になるとともに、加工工程の簡素化が達成でき、製作負担が軽減される。
【００１１】
〔構成〕
請求項３に係る発明の特徴構成は、請求項１または２記載の発明において、前記シートベースに、そのシートベースが前記竿素材に外嵌装着された状態で周方向へ変位することを阻止する機構を設けてある点にあり、その作用効果は次の通りである。
【００１２】
〔作用効果〕
シートベースの内径を拡縮可能に構成してあるので、リールシートを竿に対して任意の位置に取り付けることができるだけでなく、周方向への変位を阻止する機構を設けているので、その機構によって周方向への変動も阻止できる。これによって、リールシートに取り付けられたリールと竿素材に取り付けられる釣り糸ガイドとの周方向での位置ズレを阻止でき、糸切れ等を阻止できる。
【００１３】
請求項４に係る発明の特徴構成は、請求項１〜３の内のいずれか一つに記載の発明において、前記シートベースに、そのシートベースが竿素材の軸線方向へ移動することを規制する取付固定具を設けてある点にあり、その作用効果は次の通りである。
【００１４】
〔作用効果〕
つまり、シートベースの内径を拡縮可能に構成してあるので、リールシートを竿素材の任意の位置に外嵌装着した場合であっても、シートベースの内周面が竿素材に密着固定されるので、竿素材の軸線方向へのリールシートの移動は原則的には阻止される。
更に、取付固定具を設けることによって、想定以上の大型魚等が掛かった場合や魚との遣り取りが激しくなった場合においても、竿素材の軸線方向へのリールシートの移動が抑制される。
【００１５】
〔構成〕
請求項５に係る発明の特徴構成は、釣り竿が、請求項１から４のうちのいずれか一つに記載のリールシートを備えた点にあり、その作用効果は次の通りである。
【００１６】
〔作用効果〕
リールシートの位置調節が容易であるので、釣り人の趣味感にあった釣り竿を構築できるに至った。
【発明を実施するための最良の形態】
【００１７】
〔第１実施形態〕
磯竿Ａに使用されるリールシート１について説明する。図１に示すように、竿素材８の元竿部分に対して筒状のリールシート１を取り付けるとともに、リールシート１の竿尻側にグリップ９を設け、磯竿Ａを構成してある。
【００１８】
筒状のリールシート１について説明する。図１及び図２に示すように、竿素材８に対して取付固定したシートベース２を、リール脚Ｓａを載置するリール脚載置部２ａと固定フード３とを備えるとともに、リール脚載置部２ａに可動フード４を取り付けて構成してある。可動フード４の竿尻側に配置されている部品は、可動フード４がリール脚載置部２ａから竿尻側に抜け出すことを阻止する受止具５である。
【００１９】
図１及び図２に示すように、リール脚載置部２ａの可動フード４装着部位に、鋸歯状の係止部２ｂを形成するとともに、係止部２ｂを形成しているリール脚載置部２ａの両横側面に、竿軸線方向に沿った係合溝２ｃを形成してある。
【００２０】
図１から図３に示すように、可動フード４は、リール脚を保持するドーム状のフード部４ａと、フード部４ａに対して揺動自在に取り付けてあるストッパ片４ｂとで構成されている。フード部４ａの両側端をリール脚載置部２ａの両横側面に形成された係合溝２ｃ、２ｃに係合する係合折り曲げ片に構成して、フード部４ａを竿軸線方向に移動可能に構成してある。フード部４ａに設けてあるストッパ片４ｂの揺動先端をリール脚載置部２ａの鋸歯状の係止部２ｂに係合させることによって、可動フード４の位置決めを行うことができる。
【００２１】
図２及び図３に示すように、シートベース２におけるリール脚載置部２ａとは竿軸芯を挟んで１８０°反対側に、周方向において一定の幅ｗを有する割り溝２ｄを形成してある。
シートベース２に使用される材料は、ポリアセタール（ＰＯＭ）という結晶性の高い熱可塑性エンジニアリング樹脂である。この樹脂に相当する強度と性質を有するエンジニアリング樹脂であれば使用可能であり、ポリカーボネート（ＰＣ）等を使用することが考えられる。
【００２２】
以上のように、シートベース２に割り溝２ｄが形成され、上記した樹脂材料によって構成されているので、シートベース２牽いてはリールシート１が、割り溝２ｄの幅ｗを拡縮するように全体が変形可能である。
【００２３】
ここで、リールシート１を取り付ける対象となる竿素材８の製造過程について説明する。図示してはいないが、炭素繊維等の強化繊維を一方向に引き揃え、引き揃えた強化繊維群にエポキシ等の熱硬化性樹脂を含浸させてプリプレグシートを形成し、そのプリプレグシートを図４に示すように、所定のプリプレグパターン１０に裁断する。
【００２４】
図４に示すように、所定のプリプレグパターン１０を複数枚または一枚を所定の緩円錐棒状に形成された芯金６に巻回する。所定のプリプレグパターン１０を芯金６に巻回した状態で焼成し、焼成後脱芯して所定長さに裁断し、裁断後図５に示すように、センタレス研磨機７によって研磨仕上げを行う。研磨仕上げ後、所定の装飾を施して元竿等の竿素材を形成する。
【００２５】
以上のように構成された竿素材８の元竿部分に対して、筒状のリールシート１を外嵌装着する際に、割り溝２ｄの幅ｗが拡縮することによって、リールシート１の内径自体が拡縮することになり、竿素材８におけるリールシート１の装着部分の外径が所定値に仕上げ加工されてなくても、リールシート１をリールシート自身の弾性力を利用して取付けることができる。
このように割り溝２ｄを形成することによって、リールシート１を握る釣り人の手の掌が割り溝２ｄに接触することとなり、その割り溝２ｄがリールシート１を握る手に対する滑り止め機能を発揮する。
【００２６】
〔第２実施形態〕
第１実施形態とは異なる部分について主として説明する。図６に示すように、竿素材８の外周面に、竿軸線方向に沿って係合溝８Ａを凹入形成する。
これに対して、シートベース２の内周面に孔空間に向けて突出する係合片２ｅを形成する。
係合片２ｅを係合溝８Ａに係合させることによって、リールシート１の竿素材８における周方向への変位が規制される。これを、リールシート１が竿素材８の周方向に変位することを阻止する機構Ｂと称する。
【００２７】
〔第３実施形態〕
第１実施形態では、リールシート自体の弾性力を利用して竿素材８に取付け、任意の位置に固定できる構成について説明したが、任意の位置に固定する状態をより強固にする為に、次ぎのような構成をリールシート１に付設してもよい。
図８に示すように、リールシート１の竿軸線方向の両端に竿素材８に対する取付固定具１１を装着する。つまり、取付固定具１１は、左右一対の円弧状締付板部１１Ａ、１１Ａ同士を揺動自在にリールシート１に支持するとともに、円弧状締付板部１１Ａ、１１Ａの遊端部にフランジ部１１ａ、１１ａを屈曲形成して構成してある。
【００２８】
以上のような取付固定具１１を竿素材８に外嵌装着し、任意の位置においてフランジ部１１ａ、１１ａをボルト連結することによって装着固定する。
このような取付固定具１１は、竿素材８の外径が所定外径から大きく離れていない場合に有効である。ここに、両円弧状締付板部１１Ａ、１１Ａは金属または樹脂等で構成する。
【００２９】
上記構成においては、取付固定具１１としては、両円弧状締付板部１１Ａ、１１Ａ同士を竿素材８に巻回してリールシート１を固定する構成のものを形成したが、次ぎのような構成のものでもよい。図９に示すように、取付固定具１１として、左右一対のベルト１１Ｂ、１１Ｂを配して構成し、ベルト１１Ｂ、１１Ｂの先端にバックル１１ｂを設けて、止付け固定可能に構成するものであってもよい。
【００３０】
〔別実施形態〕
（１）シートベース２に設ける割り溝２ｄとしては、図２及び図３に示すように、竿軸線方向に沿った直線的なものではなく、図６に示すように、波状に蛇行する形状に形成してもよい。これによって、リールシート１を握る釣り人の手に割り溝２ｄの部分が接触する面積を大きくすることができ、直線的な割り溝２ｄに比べて手が滑り難くなる。
（２）割り溝２ｄの部分に径方向に伸縮可能なゴム板等を施してもよい。これによって、割り溝２ｄ部分での拡縮を可能にしながら、リールシート１を握る釣り人の手が割り溝２ｄの存在を意識することが少なく、割り溝２ｄを設けていないリールシート１と略同様の感触で操作が可能である。
（３）割り溝２ｄとしては、シートベース２の全長に亘って設けるに当って必ずしも竿軸線方向に沿って設ける必要はなく、竿軸線に対して傾斜した斜め方向に設けてもよい。
（４）本願発明に係る筒状のリールシートを適用する釣り竿としては、磯竿Ａ以外に船竿、ルアー竿等に適用できる。
【図面の簡単な説明】
【００３１】
【図１】船竿の元竿部分を示す側面図
【図２】リールシートを竿素材に装着した状態を示す縦断側面図
【図３】リールシートを示す斜視図
【図４】プリプレグシートを芯金に巻回する前の状態を示す斜視図
【図５】焼成裁断後の竿素材に研磨加工機で仕上げ加工を行う状態を示す斜視図
【図６】周方向への変位を阻止する機構を示す縦断後面図
【図７】割り溝の別実施構造を示す斜視図
【図８】一対の円弧状の締付板部を備えた取付固定具を示す斜視図
【図９】一対のベルトとバックルを備えた取付固定具を示す斜視図
【符号の説明】
【００３２】
２          シートベース
２ｄ        割り溝
２ｅ        係合片（周方向への変位を阻止する機構）
３          固定フード
４          可動フード
８            竿素材
８Ａ          係合溝（周方向への変位を阻止する機構）
１１          取付固定具
Ｂ            周方向への変位を阻止する機構
Ｓａ          リール脚
【図１】
2008182959.tif 000003
【図２】
2008182959.tif 000004
【図３】
2008182959.tif 000005
【図４】
2008182959.tif 000006
【図５】
2008182959.tif 000007
【図６】
2008182959.tif 000008
【図７】
2008182959.tif 000009
【図８】
2008182959.tif 000010
【図９】
2008182959.tif 000011